(57)【要約】【課題】回路基板を静電気から保護するとともに、キャビネットによって形成された空間の排熱性を向上することができる表示装置を提供する。【解決手段】後側キャビネット６の下側の側壁に通気用の開口部６ａ，６ａ，…を設け、キャビネットの内部に設けられた表示モジュール１の背面に金属製の固定金具１０を固定する。そして、固定金具１０に屈曲部１０ａを設けることによって、固定金具１０と前側キャビネット５との間隙に配置された回路基板３０を覆うとともに、後側キャビネット５との間隙に開口部６ａ，６ａ，…に通じる通気路Ｒを形成する。これにより、開口部６ａ，６ａ，…から進入した静電気は、回路基板３０に伝導することなく、金属製の固定金具１０へと伝導することから、回路基板３０が静電気から保護される。また、前側キャビネット５及び後側キャビネット６によって形成された空間Ｓの排熱性が向上する。【選択図】図２
2008026423.tif 000002
【特許請求の範囲】
【請求項１】
前側キャビネット及び後側キャビネットからなる空間に表示部を備える表示装置において、
少なくとも一方のキャビネットに設けられた開口部と、
前記表示部の背面に固定される導電性の固定具と、
該固定具と前記前側キャビネットとの間隙に配置された回路基板と
を備え、
前記固定具には、
前記回路基板を覆うとともに、前記後側キャビネットとの間隙に前記開口部に通じる通気路を形成するように、屈曲部が設けられていること
を特徴とする表示装置。
【請求項２】
前記屈曲部の屈曲角度が鈍角であること
を特徴とする請求項１に記載の表示装置。
【請求項３】
前記固定具の前記回路基板を覆う部分が、該回路基板の回路配置面に対して傾斜していること
を特徴とする請求項１又は請求項２に記載の表示装置。
【請求項４】
前記固定具に固定される１又は複数の支柱と、
該支柱に固定されたスタンドと
を備え、
前記前側キャビネットは、前記固定具に固定されていること
を特徴とする請求項１乃至請求項３のいずれか１つに記載の表示装置。
【請求項５】
前記表示部を固定するための固定部材と、
該固定部材に固定される１又は複数の支柱と、
該支柱に固定されたスタンドと
を備え、
前記前側キャビネットは、前記固定部材に固定されていること
を特徴とする請求項１乃至請求項３のいずれか１つに記載の表示装置。
【請求項６】
前記表示部は、
液晶パネルと、
該液晶パネルの背面に配置されたバックライト装置と
を備えることを特徴とする請求項１乃至請求項５のいずれか１つに記載の表示装置。
【発明の詳細な説明】
【技術分野】
【０００１】
本発明は、前側キャビネット及び後側キャビネットからなる空間に表示部を備え、放熱性を損なわずに静電気に対する保護を行なえる表示装置に関する。
【背景技術】
【０００２】
近年、従来のＣＲＴに替わる様々な表示装置が実用化されている。例えば、表示装置の一種である液晶表示装置は、小型、薄型、低消費電力を特徴とし、近年ではその表示品位の向上により、従来のＣＲＴに替わるディスプレイとして普及しつつある。なお、ＰＤＰ及びＥＬ（例えば有機ＥＬ）などの表示装置も同様である。
【０００３】
表示装置は、前側キャビネット及び後側キャビネットからなる空間に表示部が設けられた構成をなす。従来の表示装置は、避雷針としての機能を有する部品を追加することによって、表示装置の動作に必要な回路基板の静電対策を行なっていた（例えば、特許文献１参照。）。
【特許文献１】実用新案登録第３１０８６４０号公報
【発明の開示】
【発明が解決しようとする課題】
【０００４】
しかしながら、従来の表示装置は、回路基板を静電気から保護するために、前側キャビネット及び後側キャビネットからなる空間を密閉することから、空間の内部温度が上昇するという問題があった。液晶表示装置は、自己発光型のデバイスとは異なり、光源としてのバックライト装置を必要とし、バックライト装置からの熱によって空間の内部が高温になる。なお、表示装置の内部には、電源回路、駆動回路、及び点灯回路などの電子回路（以下、単に回路という）が搭載されており、これら各回路も熱源となる。
【０００５】
また、従来の表示装置は、避雷針としての機能を有する部品を追加することから、材料費が上昇するという問題があった。
【０００６】
本発明は斯かる事情に鑑みてなされたものであり、構成が極めて簡単であっても、回路基板を静電気から保護するとともに、前側キャビネット及び後側キャビネットによって形成された空間の排熱性を向上することができる表示装置の提供を目的とする。
【課題を解決するための手段】
【０００７】
本発明に係る表示装置は、前側キャビネット及び後側キャビネットからなる空間に表示部を備える表示装置において、少なくとも一方のキャビネットに設けられた開口部と、前記表示部の背面に固定される導電性の固定具と、該固定具と前記前側キャビネットとの間隙に配置された回路基板とを備え、前記固定具には、前記回路基板を覆うとともに、前記後側キャビネットとの間隙に前記開口部に通じる通気路を形成するように、屈曲部が設けられていることを特徴とする。
【０００８】
本発明にあっては、前側キャビネット及び後側キャビネットの少なくとも一方のキャビネットに通気用の開口部を設け、前側キャビネット及び後側キャビネットからなる空間に設けられた表示部の背面に導電性の固定具を固定する。そして、固定具に屈曲部を設けることによって、固金具と前側キャビネットとの間隙に配置された回路基板を覆うとともに、後側キャビネットとの間隙に開口部に通じる通気路を形成する。これにより、開口部から進入した静電気は、回路基板に伝導することなく、導電性の固定具へと伝導することから、回路基板が静電気から保護される。また、前側キャビネット及び後側キャビネットによって形成された空間の排熱性が向上する。特に静電気に対して弱い回路基板を、固定具と前側キャビネットとの間隙に配置することにより、その回路基板を静電気から保護することができて効果的である。
【０００９】
本発明に係る表示装置は、前記屈曲部の屈曲角度が鈍角であることを特徴とする。
【００１０】
本発明にあっては、固定具に設けた屈曲部の屈曲角度を鈍角とする。これにより、少なくとも一方のキャビネットに設けた通気用の開口部から流入した空気が効率的に流れるため、屈曲部を直角又は鋭角にした場合と比較して通気効率が向上する。
【００１１】
本発明に係る表示装置は、前記固定具の前記回路基板を覆う部分が、該回路基板の回路配置面に対して傾斜していることを特徴とする。
【００１２】
本発明にあっては、固定具の回路基板を覆う部分が、その回路基板の回路配置面に対して傾斜していることにより、キャビネットに設けた通気用の開口部から流入した空気を効率的にキャビネットの内部へ取り入れることができる。逆に、キャビネットの内部の熱気を通気用の開口部を通じて効率的に放出することができる。
【００１３】
本発明に係る表示装置は、前記固定具に固定される１又は複数の支柱と、該支柱に固定されたスタンドとを備え、前記前側キャビネットは、前記固定具に固定されていることを特徴とする。
【００１４】
本発明にあっては、固定具に１又は複数の支柱が固定され、その支柱にスタンドが固定されている。さらに、前側キャビネットが固定具に固定されている。これにより、ともに固定具に固定された表示部と前側キャビネットとの相対位置がばらつくことはなく、表示面からの意匠性が高まる。もちろん、固定具を基準として各種の部材を固定することにより、各種の部材間の位置ばらつきを抑えることが可能である。
【００１５】
本発明に係る表示装置は、前記表示部を固定するための固定部材と、該固定部材に固定される１又は複数の支柱と、該支柱に固定されたスタンドとを備え、前記前側キャビネットは、前記固定部材に固定されていることを特徴とする。
【００１６】
本発明にあっては、固定部材に表示部が固定されるとともに、固定部材に１又は複数の支柱が固定され、その支柱にスタンドが固定されている。さらに、前側キャビネットが固定部材に固定されている。これにより、ともに固定部材に固定された表示部と前側キャビネットとの相対位置がばらつくことはなく、表示面からの意匠性が高まる。もちろん、固定部材を基準として各種の部材を固定することにより、各種の部材間の位置ばらつきを抑えることが可能である。
【００１７】
本発明に係る表示装置は、前記表示部が、液晶パネルと、該液晶パネルの背面に配置されたバックライト装置とを備えることを特徴とする。
【００１８】
本発明にあっては、表示部が液晶パネルと該液晶パネルの背面に配置されたバックライト装置とからなる。これにより、表示部を１つのユニットとして扱い、組立工程の簡略化を行なえる。また、表示部を構成する液晶パネル及びバックライト装置のうちの一方に不具合が発生した場合には、例えば、ユーザ宅へ交換用モジュールとしての表示部を持って伺い、交換用モジュール（表示部）を交換することによって簡単に修理を行なえる。
【発明の効果】
【００１９】
本発明によれば、回路基板を覆うとともに、後側キャビネットとの間隙に少なくとも一方のキャビネットに設けた開口部に通じる通気路を形成するように、導電性の固定具に屈曲部を設ける構成としたので、構成が極めて簡単であっても、回路基板を静電気から保護するとともに、前側キャビネット及び後側キャビネットによって形成された空間の排熱性を向上することができる。
【００２０】
本発明によれば、表示部と前側キャビネットとの相対位置がばらつくことはなく、表示面からの見た目の印象が良くなり、意匠性が高まる。
【発明を実施するための最良の形態】
【００２１】
以下、本発明をその実施の形態を示す図面に基づいて詳述する。
【００２２】
（実施の形態１）
図１は本発明の実施の形態１に係る表示装置の外観を示す斜視図、図２は本発明の実施の形態１に係る表示装置の要部構成を示す側断面図である。
【００２３】
本発明の実施の形態１に係る表示装置は、表示モジュール１が前側キャビネット５及び後側キャビネット６によって形成された空間Ｓの内部に配置されている。後側キャビネット６の下側の側壁には、図３に示すように、前後方向に長いスリット状の通気用の開口部６ａ，６ａ，…が横方向に並置されてあり、開口部６ａ，６ａ，…を通じて空間Ｓへの通気が行なわれる。なお、本例では、後側キャビネット６の背面に背面カバー８を設け、各種の接続コード（電源コード、アンテナコードなど）を覆うようにして意匠性を高めるようにしてある。
【００２４】
表示モジュール１は、金属製の取付部材である板材４に固定されており、板材４の中央下側に２本の支柱９，９が固定され、さらにこの支柱９，９にスタンド７が取り付けられている。また、図示しないが、前側キャビネット５の左右の側面は板材４に固定されている。なお、板材４の裏面側には、図示しない電源回路、駆動回路、点灯回路などの各種の回路基板が適宜配置される。特に静電気に対して弱い回路基板は、後述するように、固定具（固定金具）１０と前側キャビネット５との間隙に適宜配置される。
【００２５】
このように、スタンド７は２本の支柱９，９を介して板材４と間接的に固定され、その板材４に表示モジュール１及び前側キャビネット５が固定されていることから、表示モジュール１と前側キャビネット５との相対位置がばらつくことはなく、表示面からの意匠性が高まる。もちろん、板材４を基準として各種の部材を固定することにより、各種の部材間の位置ばらつきを抑えることが可能である。例えば、スピーカボックスを前側キャビネット５に直接固定しなくとも、板材４に固定することによってスピーカボックスの前側キャビネット５に対する位置が確定される。
【００２６】
表示モジュール１は、液晶パネル２と液晶パネル２の背面に配置されたバックライト装置３とを備える。液晶パネル２は、一対の透明板２１，２２が対向配置され、透明板２１，２２の周辺部をシール材２３などで封止することによって生じた間隙に液晶物質２４が充填された構成をしている。もちろん、球状又は柱状のスペーサを用いてギャップを精度良く保持することが好ましい。
【００２７】
一方の透明板２１にはマトリックス状に配置されたＩＴＯ、ＮＥＳＡなどの透明性の画素電極と、画素電極への電荷の供給を制御するためのＴＦＴとが形成されており、他方の透明板２２にはコモン電極と呼ばれる透明性の共通電極が形成されている。ＴＦＴのゲート及びソースは、それぞれゲートドライバ及びソースドライバの各出力段に接続されている。
【００２８】
透明板２１，２２の表面には、相互の偏光軸方向が直交した２枚の偏光板２５，２６がそれぞれ貼付されており、ゲートドライバから入力されたゲート信号によって各画素電極のオン／オフが制御され、ソースドライバから入力されたデータ信号をオン期間に各画素電極へ印加することによって、画素電極に印加された電圧と対向電極に印加された電圧との電圧差に基づいて、液晶物質２４の光透過率を制御して映像を表示する。
【００２９】
バックライト装置３は、前面が開口された直方体状のバックライトシャーシ３１を基体とし、光源としての複数の図示しないＣＣＦＬが並置され、自然光に近い白色光が前面に設けられた液晶パネル２に入射されるようになっている。ＣＣＦＬは、一般に、適宜の位置に設けられたそれ自体公知のクリップによってバックライトシャーシ３１の底面に固定される。なお、白色ＬＥＤ及び／又は複数色のＬＥＤを配置したものをバックライトとして用いてもよい。
【００３０】
バックライトシャーシ３１の周縁部には、光学シート３２の位置を固定するための枠体として機能する固定具３３がバックライトシャーシ３１に取り付けられている。光学シート３２は、所定アスペクト比（例えば４：３、１６：９）の拡散シート、プリズムシートなどである。
【００３１】
表示モジュール１の背面下方には、接地（例えば電源コードの接地端子に接続）された導電性（例えば金属製）の固定具（以下、固定金具）１０が固定されている。固定金具１０には、図４に示すように、屈曲部１０ａが設けられている。固定金具１０と前側キャビネット５との間隙には回路基板３０が配置されており、この屈曲部１０ａによって、回路基板３０が固定金具１０に覆われるとともに、固定金具１０と後側キャビネット６との間隙に開口部６ａ，６ａ，…に通じる通気路Ｒが形成される。
【００３２】
屈曲部１０ａの屈曲角度は鈍角に設定されており、開口部６ａ，６ａ，…から流入した空気が効率的に流れるようにしてある。また本例では、固定金具１０の回路基板３０を覆う部分１０ｂが、回路基板３０の回路配置面３０ａに対して傾斜しており、後側キャビネット６に設けた通気用の開口部６ａ，６ａ，…から流入した空気を効率的にキャビネットの内部へ取り入れることができる。逆に、キャビネットの内部の熱気を通気用の開口部６ａ，６ａ，…を通じて効率的に放出することができる。このように、開口部６ａ，６ａ，…に通じる通気路Ｒを形成することによって、前側キャビネット５及び後側キャビネット６によって形成された空間Ｓの排熱性を向上させることができる。
【００３３】
また、金属製の固定金具１０が回路基板３０を覆うように配置されていることから、外部から進入して回路基板３０の方向に向かった静電気は、回路基板３０へ伝導することなく、固定金具１０へと伝導する。固定金具１０が電源コードの接地端子に接続されていることから、固定金具１０に伝導した静電気は電源コードを通じて放電される。
【００３４】
このように、回路基板３０を覆うように固定金具１０に屈曲部１０ａを設けることによって、回路基板３０を静電気から保護することができる。したがって、従来のように、静電気をアースへと逃がす役割を持つ部品を追加する必要がなくなり、コストの上昇を抑えることが可能となる。なお、特に静電気に対して弱い回路基板３０を、固定金具１０と前側キャビネット５との間隙に配置することにより、その回路基板３０を静電気から保護することができて効果的である。
【００３５】
なお、図４に示したように、固定金具１０に、図示しないスピーカを動作させるための電気回路が搭載されたスピーカ基板４０が固定されていてもよい。
【００３６】
上述したように、本発明の主旨は、固定金具１０に屈曲部１０ａを設けることによって、回路基板３０を静電気から保護するとともに、後側キャビネット６に設けた開口部６ａ，６ａ，…に通じる通気路Ｒを形成して空間Ｓの排熱性を向上することにある。このように、構成が極めて簡単であるので低コストでの対応が可能であるとともに適用範囲が広い。
【００３７】
（実施の形態２）
図５は本発明の実施の形態２に係る表示装置の要部構成を示す側断面図である。
【００３８】
実施の形態２では、表示モジュール１が金属製の固定金具１５に固定されており、固定金具１５の中央下側に２本の支柱９，９が固定され、さらにこの支柱９，９にスタンド７が取り付けられている。また、図示しないが、前側キャビネット５の左右の側面は固定金具１５に固定されている。さらに、固定金具１５の裏面側には、図示しない電源回路、駆動回路、点灯回路などの各種の回路基板が適宜配置される。なお。本実施形態でも、静電気に対して弱い回路基板を、固定金具１５と前側キャビネット５との間隙に適宜配置する。
【００３９】
このように、スタンド７は２本の支柱９，９を介して固定金具１５と間接的に固定され、その固定金具１５に表示モジュール１及び前側キャビネット５が固定されていることから、表示モジュール１と前側キャビネット５との相対位置がばらつくことはなく、表示面からの意匠性が高まる。もちろん、固定金具１５を基準として各種の部材を固定することにより、各種の部材間の位置ばらつきを抑えることが可能である。例えば、スピーカボックスを前側キャビネット５に直接固定しなくとも、固定金具１５に固定することによってスピーカボックスの前側キャビネット５に対する位置が確定される。
【００４０】
固定金具１５は接地（例えば電源コードの接地端子に接続）されており、図６に示すように、屈曲部１５ａが設けられている。固定金具１５と前側キャビネット５との間隙には回路基板３５が配置されており、この屈曲部１５ａによって、回路基板３５が固定金具１５に覆われるとともに、固定金具１５と後側キャビネット６との間隙に開口部６ａ，６ａ，…に通じる通気路Ｒが形成される。
【００４１】
屈曲部１５ａの屈曲角度は鈍角に設定されており、開口部６ａ，６ａ，…から流入した空気が効率的に流れるようにしてある。このように、後側キャビネット６に設けた開口部６ａ，６ａ，…に通じる通気路Ｒを形成することによって、前側キャビネット５及び後側キャビネット６によって形成された空間Ｓの排熱性を向上させることができる。
【００４２】
また、金属製の固定金具１５が回路基板３５を覆うように配置されていることから、外部から進入して回路基板３５の方向に向かった静電気は、回路基板３５へ伝導することなく、固定金具１５へと伝導する。固定金具１５が電源コードの接地端子に接続されていることから、固定金具１５に伝導した静電気は電源コードを通じて放電される。このように、回路基板３５を覆うように固定金具１５に屈曲部１５ａを設けることによって、回路基板３５を静電気から保護することができる。したがって、従来のように、静電気をアースへと逃がす役割を持つ部品を追加する必要がなくなり、コストの上昇を抑えることが可能となる。なお、特に静電気に対して弱い回路基板３５を、固定金具１５と前側キャビネット５との間隙に配置することにより、その回路基板３５を静電気から保護することができて効果的である。
【００４３】
なお、図６に示したように、固定金具１５に、図示しないスピーカを動作させるための電気回路が搭載されたスピーカ基板４０が固定されていてもよい。
【００４４】
このように、本実施の形態における固定金具１５は、実施の形態１における板材４と固定金具１０とが一体となった形態である。その他の構成は実施の形態１と同様であるので、対応する部分には同一の符号を付してその詳細な説明を省略する。
【００４５】
なお、各実施の形態では、静電気に対して弱い回路基板３０，３５として、電源回路、駆動回路、点灯回路などの各種の回路基板のうちの１つの回路基板としたが、表示装置に搭載される回路基板であれば、リモコンの受光検出回路など、その種類は限定されるものではない。
【００４６】
また、各実施の形態では、屈曲部１０ａ，１５ａの屈曲角度が鈍角である形態について説明したが、あくまで最良の形態として示したものであり、屈曲部１０ａ，１５ａの屈曲角度が直角又は鋭角であっても、従来の構成と比較して、低コストで回路基板３０，３５の静電気からの保護及び空間Ｓの排熱性の向上が期待できる。
【００４７】
さらに、各実施の形態では、後側キャビネット６の下側の側壁に通気用の開口部６ａ，６ａ，…が設けられた形態を示したが、開口部を設ける位置は限定されるものではなく、開口部の位置に応じて回路基板３０，３５の配置位置を適宜決定することで、同様の効果が生じる。また、前側キャビネット５に開口部を設けるようにしてもよい。
【００４８】
さらにまた、各実施の形態では、発明の適用対象として液晶表示装置を一例に説明したが、これに限定されるものではなく、ＰＤＰ及びＥＬ（例えば有機ＥＬ）などあらゆる表示装置に適用できることは言うまでもない。
【図面の簡単な説明】
【００４９】
【図１】本発明の実施の形態１に係る表示装置の外観を示す斜視図である。
【図２】本発明の実施の形態１に係る表示装置の要部構成を示す側断面図である。
【図３】通気用の開口部を示す平面図である。
【図４】実施の形態１に係る固定金具を示す斜視図である。
【図５】本発明の実施の形態２に係る表示装置の要部構成を示す側断面図である。
【図６】実施の形態２に係る固定金具を示す斜視図である。
【符号の説明】
【００５０】
１  表示モジュール
２  液晶パネル
３  バックライト装置
４  板材（固定部材）
５  前側キャビネット
６  後側キャビネット
６ａ，６ａ，…  開口部
７  スタンド
９，９  支柱
１０，１５  固定金具（固定具）
１０ａ，１５ａ  屈曲部
３０，３５  回路基板
４０  スピーカ基板
【図１】
2008026423.tif 000003
【図２】
2008026423.tif 000004
【図３】
2008026423.tif 000005
【図４】
2008026423.tif 000006
【図５】
2008026423.tif 000007
【図６】
2008026423.tif 000008